(57)【要約】【課題】書込み放電を安定して発生させことができ、さらに隣接する放電セルへのクロストークを改善して誤放電を低減することができるプラズマディスプレイパネルを提供する。【解決手段】前面基板２１の走査電極２２および維持電極２３と背面基板３１のデータ電極３２とが対向して構成される主放電セル４０と、走査電極２２のうち隣接する２本の走査電極２２を有し主放電セル４０に隣接した隙間部に構成されるプライミング放電セル４１ａとを区画する横隔壁３４ｂと、走査電極２２および維持電極２３を覆う前面板誘電体層２４とを備え、隣り合う補助電極２２ｂ’−補助電極２２ｂ’の互いに対向する面が、走査電極２２、維持電極２３およびデータ電極３２のいずれに対しても傾斜する方向となるように、補助電極２２ｂ’を形成する。【選択図】図２
2006031992.tif 000002
【特許請求の範囲】
【請求項１】
第１の基板上に２本ずつ交互にかつ互いに平行となるように配置された複数の第１電極および複数の第２電極と、
隣り合う２本の前記第１電極の互いに対向する側に、前記第１電極からそれぞれ延長され互いに対向するように形成された補助電極と、
前記第１の基板に放電空間を挟んで対向配置される第２の基板上に前記第１電極および前記第２電極と直交する方向に配置した第３電極と、
前記第２の基板上に前記第１電極および前記第２電極と前記第３電極とで形成される複数の主放電セルと、互いに対向した前記補助電極で形成される複数のプライミング放電セルとを区画するように形成した隔壁とを有し、
前記補助電極は、互いに対向する面が前記プライミング放電セルの長手方向に対して直行するかまたは傾斜する方向に形成されていることを特徴とするプラズマディスプレイパネル。
【請求項２】
前記補助電極は、互いに対向する面が前記第１電極、前記第２電極および前記第３電極のいずれに対しても傾斜する方向に形成されていることを特徴とする請求項１記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
ＡＣ型として代表的な交流面放電型プラズマディスプレイパネル（以下、ＰＤＰと呼ぶ）は、面放電を行う走査電極および維持電極を互いに平行に配列して形成したガラス基板からなる前面板と、データ電極を配列して形成したガラス基板からなる背面板とにより構成されている。走査電極および維持電極とデータ電極とがマトリックスを組むように、しかも間隙に放電空間を形成するように前面板と背面板とを対向配置し、その外周部をガラスフリット等の封着材によって封着している。前面板と背面板との間には、隔壁によって区画された放電セルが設けられ、この隔壁間の放電セルに蛍光体層を形成している。このような構成のＰＤＰにおいては、ガス放電により紫外線を発生させ、この紫外線でＲ、Ｇ、Ｂの各色の蛍光体を励起して発光させることによりカラー表示を行っている。
【０００３】
ＰＤＰは、１フィールド期間を複数のサブフィールドに分割し、発光させるサブフィールドを組み合わせて駆動することで階調表示を行う。各サブフィールドは少なくとも初期化期間、書込み期間および維持期間を有し、画像データを表示するために、初期化期間、書込み期間および維持期間においてそれぞれ異なる信号波形を各電極に印加している。
【０００４】
初期化期間には、例えば、正のパルス電圧をすべての走査電極に印加し、走査電極および維持電極を覆う誘電体層上の保護膜および蛍光体層上に必要な壁電荷を蓄積する。
【０００５】
書込み期間では、すべての走査電極に順次負の走査パルスを印加することにより、走査電極を走査する。表示データがある場合、走査電極を走査しているアドレス期間に、データ電極に正の書込みパルスを印加すると、走査電極とデータ電極との間で放電が起こり、走査電極上の保護膜の表面に壁電荷が形成される。
【０００６】
続く維持期間では、一定の期間、走査電極と維持電極との間に放電を維持するのに十分な電圧を印加する。これにより、走査電極と維持電極との間に放電プラズマが生成され、一定の期間、蛍光体層を励起発光させる。アドレス期間にデータパルスが印加されなかった放電空間では、放電は発生せず蛍光体層の励起発光は起こらない。これにより、それぞれの放電セルを発光、非発光に制御して画像を表示する。
【０００７】
ところが、このようなＰＤＰでは、書込み期間の放電に大きな放電遅れが発生して書込み動作が不安定になったり、あるいは書込み動作を完全に行うために書込み時間を長く設定して書込み期間に費やす時間が大きくなり過ぎるといった課題があった。
【０００８】
これらの課題を解決するために、前面板に補助放電電極を設け前面板側の面内補助放電によってプライミング放電を発生させることによって放電遅れを小さくするＰＤＰとその駆動方法が提案されている（例えば、特許文献１）。
【特許文献１】特開２００２−２９７０９１号公報
【発明の開示】
【発明が解決しようとする課題】
【０００９】
しかしながら上述のＰＤＰにおいては、隣接する放電セルが相互干渉を起こしやすく、特に書込み期間において、隣接する放電セルへプライミングに必要な粒子以上のプライミング粒子が供給されてクロストークが生じ、誤書込みあるいは書込み不良等の誤放電が生じるという課題があった。
【００１０】
本発明のＰＤＰは、これらの課題に鑑みなされたものであり、プライミング放電によって書込み放電を安定して発生させことができ、さらに隣接する主放電セルへのプライミング放電のクロストークを改善して誤放電を低減することができるＰＤＰを提供することを目的とする。
【課題を解決するための手段】
【００１１】
このような目的を達成するために、本発明のＰＤＰは、第１の基板上に２本ずつ交互にかつ互いに平行となるように配置された複数の第１電極および複数の第２電極と、隣り合う２本の第１電極の互いに対向する側に、第１電極からそれぞれ延長され互いに対向するように形成された補助電極と、第１の基板に放電空間を挟んで対向配置される第２の基板上に第１電極および第２電極と直交する方向に配置した第３電極と、第２の基板上に第１電極および第２電極と第３電極とで形成される複数の主放電セルと、互いに対向した補助電極で形成される複数のプライミング放電セルとを区画するように形成した隔壁とを有し、補助電極は、互いに対向する面がプライミング放電セルの長手方向に対して直行するかまたは傾斜する方向に形成されていることを特徴とする。
【００１２】
この構成により、プライミング放電によって書込み放電を安定して発生させことができ、さらに、隣接する主放電セルへのプライミング放電のクロストークを改善して誤放電を低減することができる。
【００１３】
また、補助電極は、互いに対向する面が第１電極、第２電極および第３電極のいずれに対しても傾斜する方向に形成されている構成としてもよい。
【００１４】
この構成により、隣接する主放電セルへのプライミング放電のクロストークをさらに改善することができる。
【発明の効果】
【００１５】
本発明によれば、プライミング放電によって書込み放電を安定して発生させことができ、さらに隣接する主放電セルへのプライミング放電のクロストークを改善して誤放電を低減することができるＰＤＰを提供することができる。
【発明を実施するための最良の形態】
【００１６】
以下、本発明の実施の形態について、図面を参照しながら説明する。
【００１７】
（第１の実施の形態）
図１は、本発明の第１の実施の形態におけるＰＤＰの構造を示す分解斜視図であり、図２は、同ＰＤＰの断面図である。
【００１８】
図１に示すように、ＰＤＰ１０は第１の基板であるガラス製の前面基板２１等よりなる前面板５０と、第２の基板であるガラス製の背面基板３１等よりなる背面板６０とが放電空間を挟んで対向して配置され、その外周部をガラスフリット（図示せず）等の封着材によって封着されている。放電空間には放電によって紫外線を放射する放電ガスとして、ネオン（Ｎｅ）およびキセノン（Ｘｅ）等の混合ガスが封入されている。
【００１９】
前面板５０の前面基板２１上には、第１電極である走査電極２２と第２電極である維持電極２３とが、維持電極２３−走査電極２２−走査電極２２−維持電極２３−・・・となるように２本ずつ交互にかつ互いに平行に対をなして複数形成されている。走査電極２２と維持電極２３とはそれぞれ透明電極２２ａ、２３ａと、透明電極２２ａ、２３ａ上に重なるように形成された金属母線２２ｂ、２３ｂとから構成されている。隣り合う走査電極２２−走査電極２２の間、および維持電極２３−維持電極２３の間には発光時のコントラストを高めるために黒色材料等からなる光吸収層２８が設けられている。
【００２０】
走査電極２２同士が隣り合う光吸収層２８上には、走査電極２２のうち一方の走査電極２２から金属母線２２ｂが延長されて補助電極２２ｂ’が形成されている。そして、これらの走査電極２２、維持電極２３および光吸収層２８を覆うように鉛−ホウ素（Ｐｂ−Ｂ）系ガラス等からなる前面板誘電体層２４が形成され、さらにその上に酸化マグネシウム（ＭｇＯ）等からなる保護層２５が設けられている。
【００２１】
背面板６０の背面基板３１上には、走査電極２２および維持電極２３と交差する方向に、第３電極であるデータ電極３２が互いに平行に複数形成されている。そして、データ電極３２を覆うように背面板誘電体層３３が形成されている。
【００２２】
背面板誘電体層３３上には隔壁３４が形成され、隔壁３４は放電空間を区画して、走査電極２２および維持電極２３とデータ電極３２とを有する複数の主放電セル４０を形成している。隔壁３４は、図１に示すように、データ電極３２と平行な方向に延びる縦隔壁３４ａと、走査電極２２および維持電極２３と平行な方向に延び、主放電セル４０の間に隙間部４１を形成する横隔壁３４ｂとで構成されている。したがって、主放電セル４０は、横隔壁３４ｂと、この横隔壁３４ｂに交差するように設けられた縦隔壁３４ａとにより格子状に形成されている。
【００２３】
隙間部４１は、横隔壁３４ｂによって区画され主放電セル４０と隣接して形成される。また、前面基板２１上には走査電極２２と維持電極２３とが２本ずつ交互に対をなして形成されているので、隙間部４１として、２本の走査電極２２が隣り合う側に位置した走査電極側隙間部４１ａと、２本の維持電極２３が隣り合う側に位置した維持電極側隙間部４１ｂとが形成される。そして、それらは主放電セル４０を挟んで、交互に並んだ構成となる。さらに、維持電極側隙間部４１ｂにおいて放電の発生はないが、走査電極側隙間部４１ａにおいては、対向した補助電極２２ｂ’−補助電極２２ｂ’間でプライミング放電が発生する。すなわち、走査電極側隙間部４１ａはプライミング放電セルとしての働きを有する（以下、プライミング放電セル４１ａと表記する）。
【００２４】
ここで、本発明の第１の実施の形態においては、対向した補助電極２２ｂ’−補助電極２２ｂ’間におけるプライミング放電が、隣接する主放電セル４０に対して傾斜した方向に発生するように補助電極２２ｂ’を形成している。図３は、本発明の第１の実施の形態におけるＰＤＰ１０の金属母線２２ｂおよび補助電極２２ｂ’の構成を示した図である。図３（ａ）はＰＤＰ１０の金属母線２２ｂおよび補助電極２２ｂ’の平面図および同平面図のＸ−Ｘ線における断面図であり、図３（ｂ）は同斜視図である。図３に示すように、本発明の第１の実施の形態においては、隣り合う補助電極２２ｂ’−補助電極２２ｂ’の互いに対向する面が、走査電極２２、維持電極２３およびデータ電極３２のいずれに対しても傾斜するように、補助電極２２ｂ’を形成している。したがって、隣り合う補助電極２２ｂ’−補助電極２２ｂ’の互いに対向する面がプライミング放電セル４１ａの長手方向に対して傾斜し、プライミング放電セル４１ａに隣接する主放電セル４０に対しても傾斜することで、隣り合う補助電極２２ｂ’−補助電極２２ｂ’間において発生するプライミング放電は、放電の向きが主放電セル４０に対して傾斜した方向となる。
【００２５】
隔壁３４の頂部は前面基板２１に当接するように平坦に形成されている。これは、隣接する主放電セル４０とプライミング放電セル４１ａとの相互干渉を防ぐためであり、書込み期間において発生するプライミング放電の影響を受けて隣接する主放電セル４０に誤書込みを生じる等の誤動作を防ぐためである。さらには、プライミング放電にともない、プライミング放電セル４１ａに隣接する主放電セル４０の壁電荷が減少し書込み不良を生じる等の誤動作を防ぐためである。
【００２６】
また、図１に示すように、主放電セル４０には蛍光体層３５がそれぞれの隔壁３４側面と背面板誘電体層３３上に形成されている。蛍光体層３５は背面板６０に設けられたそれぞれのデータ電極３２に対応しており、紫外線によって赤色、青色、緑色に発光する蛍光体層３５が交互に設けられ、同一データ電極３２上に設けられた主放電セル４０には同一色の蛍光体層３５が形成されている。なお、図１では隙間部４１側に蛍光体層３５を形成していないが、蛍光体層３５を形成する構成としてもよい。また、上述の説明ではデータ電極３２を覆うように背面板誘電体層３３が形成されているが、この背面板誘電体層３３は形成しなくてもよい。
【００２７】
図４は、本発明の第１の実施の形態におけるＰＤＰ１０の電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の第１の実施の形態においては隣り合う走査電極ＳＣｐ、ＳＣｐ＋１（ｐ＝奇数）の補助電極（図１の補助電極２２ｂ’）の間でプライミング放電を行う。
【００２８】
そして、一対の走査電極ＳＣｉ、維持電極ＳＵｉ（ｉ＝１〜ｎ）と１つのデータ電極Ｄｊ（ｊ＝１〜ｍ）とを含む主放電セルＣｉ、ｊ（図１の主放電セル４０）が放電空間内に形成される。このとき主放電セルＣの総数はｍ×ｎ個になる。また走査電極ＳＣｐの補助電極２２ｂ’と走査電極ＳＣｐ＋１の補助電極２２ｂ’とを含むプライミング放電セルＰＳｐ（図１のプライミング放電セル４１ａ）が形成される。
【００２９】
次に、ＰＤＰ１０を駆動するための駆動波形とそのタイミングについて、ＰＤＰ１０の動作とともに説明する。
【００３０】
図５は、本発明の第１の実施の形態におけるＰＤＰ１０の駆動波形図である。なお、本発明の第１の実施の形態においては、１フィールド期間を発光期間の重みを持った複数のサブフィールドに分割し、発光させるサブフィールドの組み合わせによって階調表示を行う。また、各サブフィールドは初期化期間、書込み期間、維持期間を有しており、それぞれのサブフィールドは発光期間の重みを変えるため維持期間における維持パルスの数を異ならせている以外はほぼ同様の動作を行う。そして、各サブフィールドにおける動作原理もほぼ同様であるので、ここでは１つのサブフィールドについてのみ動作を説明する。
【００３１】
まず、初期化期間前半部では、データ電極Ｄ１〜Ｄｍおよび維持電極ＳＵ１〜ＳＵｎをそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ１回目の微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上あるいは蛍光体層上に蓄積された壁電荷により生じる電圧をあらわす。このとき、走査電極ＳＣ１〜ＳＣｎは同電位のためプライミング放電セルＰＳｐでは放電が発生しない。
【００３２】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ２回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。このときも、走査電極ＳＣ１〜ＳＣｎは同電位のためプライミング放電セルＰＳｐでは放電が発生しない。以上により初期化動作が終了する。
【００３３】
書込み期間は、奇数番目の走査電極を持つ主放電セルの書込み動作を行う奇数ライン書込み期間と、偶数番目の走査電極を持つ主放電セルの書込み動作を行う偶数ライン書込み期間とを有し、奇数番目の走査電極（以下、奇数走査電極と略記する）と偶数番目の走査電極（以下、偶数走査電極と略記する）との書込み動作を時間的に分離して行う。これは以下に詳細に説明するように、壁電荷を用いてプライミング放電を順次継続して安定して発生させるためである。
【００３４】
奇数ライン書込み期間では、奇数走査電極ＳＣｐを一旦電圧Ｖｃに保持する。そして、偶数走査電極ＳＣｐ＋１には、隣接する奇数走査電極ＳＣｐとの間でプライミング放電セルＰＳｐ内部に放電を生じさせるための電圧Ｖｑを印加する。次に、１番目の走査電極ＳＣ１に走査パルス電圧Ｖａを印加すると、プライミング放電セルＰＳ１内において２番目の走査電極ＳＣ２との間でプライミング放電が発生し、主放電セルＣ１、１〜Ｃ１、ｍ内部にプライミングが供給される。このとき、表示すべき画像信号に対応するデータ電極Ｄｋ（ｋは１〜ｍの整数）に正の書込みパルスＶｄを印加すると、データ電極Ｄｋと走査電極ＳＣ１との交差部で放電が発生し、対応する主放電セルＣ１、ｋの維持電極ＳＵ１と走査電極ＳＣ１との間の放電に進展する。そして主放電セルＣ１、ｋ内の走査電極ＳＣ１上部に正の壁電圧が蓄積され、維持電極ＳＵ１上部に負の壁電圧が蓄積され、１行目の書込み動作が終了する。なお、このとき、プライミング放電セルＰＳ１内部の走査電極ＳＣ１上部には正の壁電圧が蓄積され、走査電極ＳＣ２上部には負の壁電圧が蓄積される。
【００３５】
以下同様に奇数番目の主放電セルＣ３、ｋ、Ｃ５、ｋ、・・・について書込み動作を行う。
【００３６】
偶数ライン書込み期間では、偶数走査電極ＳＣｐ＋１を一旦電圧Ｖｃに保持する。そして、奇数走査電極ＳＣｐには、隣接する偶数番目の走査電極ＳＣｐ＋１との間でプライミング放電セルＰＳｐ内部に放電を生じさせるための電圧Ｖｑを印加する。そして、２番目の走査電極ＳＣ２に走査パルス電圧Ｖａを印加すると、プライミング放電セルＰＳ２内において１番目の走査電極ＳＣ１との間でプライミング放電が発生する。このときの放電は、プライミング放電セルＰＳ１内部の走査電極ＳＣ１上部に蓄積された正の壁電圧、走査電極ＳＣ２上部に蓄積された負の壁電圧が加算されるため放電遅れが小さく安定した放電となる。そして、主放電セルＣ２、１〜Ｃ２、ｍ内部にプライミングが供給される。このとき、表示すべき画像信号に対応するデータ電極Ｄｋに正の書込みパルスＶｄを印加すると、データ電極Ｄｋと走査電極ＳＣ２との交差部で放電が発生し、対応する主放電セルＣ２、ｋの維持電極ＳＵ２と走査電極ＳＣ２との間の放電に進展する。そして主放電セルＣ２、ｋ内の走査電極ＳＣ２上部に正の壁電圧が蓄積され、維持電極ＳＵ２上部に負の壁電圧が蓄積され、２行目の書込み動作が終了する。なお、プライミング放電セルＰＳ１内部の壁電圧は反転し、プライミング放電セルＰＳ１内部の走査電極ＳＣ１上部には負の壁電圧、走査電極ＳＣ２上部には正の壁電圧が蓄積される。
【００３７】
以下同様に偶数番目の主放電セルＣ４、ｋ、Ｃ６、ｋ、・・・について書込み動作を行い、書込み期間を終了する。
【００３８】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ、ｋにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、放電セルＣｉ、ｋにおいて維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ、ｋに対して維持パルスの回数だけ維持放電が継続して行われる。このとき、走査電極ＳＣ１〜ＳＣｎは同電位のためプライミング放電セルＰＳｐでは放電が発生しない。
【００３９】
続くサブフィールドの初期化期間では、維持電極ＳＵ１〜ＳＵｎを正電圧Ｖｅに保ち、走査電極ＳＣ１〜ＳＣｎには電圧Ｖｉ４に向かって緩やかに下降する傾斜波形電圧を印加する。すると、維持放電を行った主放電セルＣｉ、ｋの走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整される。このときも、走査電極ＳＣ１〜ＳＣｎは同電位のためプライミング放電セルＰＳｐでは放電が発生しない。
【００４０】
この後の書込み期間、維持期間、および続くサブフィールドの駆動波形およびＰＤＰの動作は上述と同様である。
【００４１】
ここで、書込み期間を奇数ライン書込み期間と偶数ライン書込み期間とに分けた理由について、プライミング放電セルの動作を追って再度説明する。なお、プライミング放電セルＰＳｐ内では、奇数走査電極ＳＣｐに印加した電圧と偶数走査電極ＳＣｐ＋１に印加した電圧とが異なる場合にのみ放電が発生するので、書込み期間だけで説明を行う。
【００４２】
まず、最初のサブフィールドの奇数ライン書込み期間では、奇数走査電極ＳＣｐに負電圧の走査電圧パルスＶａを印加し、偶数走査電極ＳＣｐ＋１に正の電圧Ｖｑを印加してプライミング放電を発生させる。そして、プライミング放電セルＰＳｐ内の奇数走査電極ＳＣｐ上に正の壁電圧、偶数走査電極ＳＣｐ＋１上に負の壁電圧が蓄積される。
【００４３】
続く偶数ライン書込み期間では、負の壁電圧が蓄積している偶数走査電極ＳＣｐ＋１にさらに負電圧の走査電圧パルスＶａを印加し、正の壁電圧が蓄積している奇数走査電極ＳＣｐにさらに正の電圧Ｖｑを印加してプライミング放電を発生させる。このように、このときのプライミング放電は電極に印加した電圧にさらに壁電圧が加算されるため、放電遅れの小さい安定した放電となる。そして、プライミング放電セルＰＳｐ内の偶数走査電極ＳＣｐ＋１上に正の壁電圧、奇数走査電極ＳＣｐ上に負の壁電圧が蓄積される。
【００４４】
次のサブフィールドの奇数ライン書込み期間では、負の壁電圧が蓄積している奇数走査電極ＳＣｐにさらに負電圧の走査電圧パルスＶａを印加し、正の壁電圧が蓄積している偶数走査電極ＳＣｐ＋１にさらに正の電圧Ｖｑを印加してプライミング放電を発生させる。したがって、このときのプライミング放電も放電遅れの小さい安定した放電となる。そして、プライミング放電セルＰＳｐ内の奇数走査電極ＳＣｐ上に正の壁電圧、偶数走査電極ＳＣｐ＋１上に負の壁電圧が蓄積される。
【００４５】
以降同様に、壁電圧が常にプライミング放電を強めるように働くので、プライミング放電は放電遅れの小さい安定した放電となる。このように、書込み期間を奇数ライン書込み期間と偶数ライン書込み期間とに分けることによりプライミング放電を放電遅れの小さい安定した放電とすることができる。
【００４６】
なお、上述の動作説明においては、最初のサブフィールドの初期化期間はすべての主放電セルで初期化放電を行う全セル初期化動作を行い、次のサブフィールド以降の初期化期間は維持放電を行った主放電セルを選択的に初期化する選択初期化動作を行うものとして説明したが、これらの初期化動作は任意に組み合わせてもよい。
【００４７】
以上説明したように本発明の第１の実施の形態においては、プライミング放電セル４１ａにおいて、対向した奇数走査電極ＳＣｐの補助電極２２ｂ’と偶数走査電極ＳＣｐ＋１の補助電極２２ｂ’との間でプライミング放電を発生させることで、プライミング放電を順次継続して安定して発生させ、書込み放電を安定して発生させることができる。
【００４８】
次に、本発明の第１の実施の形態において、隣り合う補助電極２２ｂ’−補助電極２２ｂ’間において発生させるプライミング放電が、隣接する主放電セル４０に対して傾斜した方向となるように補助電極２２ｂ’を形成した理由について説明する。
【００４９】
図６は、本発明の第１の実施の形態におけるＰＤＰ１０の要部の平面透視図である。図６に示したように、プライミング放電セル４１ａと主放電セル４０とは横隔壁３４ｂを間に挟んで隣接している。そして、隔壁３４の頂部は前面基板２１に当接するように平坦に形成されている。この構成は、上述したように、隣接する主放電セル４０とプライミング放電セル４１ａとの相互干渉を防ぐためであり、プライミング放電によって発生するプライミング粒子が隣接する主放電セル４０へ過剰に供給されることを防止し、誤書込みを生じる等の誤動作を防ぐことを目的としたものである。これは、隣接する主放電セル４０へプライミングに必要な粒子以上のプライミング粒子が供給されてクロストークを生じることが、誤書込みあるいは書込み不良等の誤放電を生じる主な原因と考えられるからである。
【００５０】
しかしながら、そのように隔壁３４を形成し、隣接する主放電セル４０への過剰なプライミング粒子の供給を防止するような構成としていても、それらを完全に防止することは難しい。特に、プライミング放電によって発生したプライミング粒子が隣接する主放電セル４０に向かって直接飛散するような場合には、主放電セル４０へプライミングに必要な粒子以上のプライミング粒子が供給される可能性は高くなる。
【００５１】
そこで、本発明の第１の実施の形態においては、図６に示したように、隣り合う補助電極２２ｂ’−補助電極２２ｂ’の互いに対向する面がプライミング放電セル４１ａの長手方向に対して傾斜するように補助電極２２ｂ’を形成している。このような構成とすることで、図６において矢印で示したように、隣り合う補助電極２２ｂ’−補助電極２２ｂ’間で発生させるプライミング放電を、プライミング放電セル４１ａに隣接する主放電セル４０に対して放電の向きが傾斜するように発生させることが可能となる。プライミング放電によって生成されるプライミング粒子は、放電の方向に沿って拡散すると考えられており、このように、プライミング放電の向きを隣接する主放電セル４０に対して傾斜して発生させることで、プライミング粒子を隣接する主放電セル４０に対して傾斜した方向に飛散させ、過剰なプライミング粒子の供給を防止することが可能となる。
【００５２】
本発明の第１の実施の形態では、ハイビジョン対応の４２インチＰＤＰにおいて、補助電極２２ｂ’−補助電極２２ｂ’間の隙間Ｗｔを６０μｍ、対向する補助電極２２ｂ’−補助電極２２ｂ’間の幅Ｗｗを１４０μｍとしている。ただし、それらのサイズはＰＤＰのデザイン等によって異なるため、機種ごとに最適化する必要がある。
【００５３】
このように、本発明の第１の実施の形態では、プライミング放電セル４１ａに隣接する主放電セル４０に対して傾斜した方向にプライミング放電が発生するように補助電極２２ｂ’を形成する。こうすることで、隣接する主放電セル４０に対して傾斜した方向にプライミング粒子を飛散させて過剰なプライミング粒子の供給を防止し、隣接する主放電セル４０へのプライミング放電のクロストークを改善して誤書込みや書込み不良等の誤放電を低減することができる。
【００５４】
なお、第１の実施の形態では、補助電極２２ｂ’を図６に示した形状で説明したが、これは一実施例を示したに過ぎず、対向した補助電極２２ｂ’−補助電極２２ｂ’の間に発生させるプライミング放電が、隣接した主放電セル４０に対して傾斜した方向に発生する構成であれば、同様の効果を得ることができる。
【００５５】
図７は、本発明の第１の実施の形態におけるＰＤＰ１０の補助電極２２ｂ’の他の形状の例を示した平面図である。例えば、図７に示すように、「く」の字型の補助電極２２ｂ’を、隣り合う補助電極２２ｂ’−補助電極２２ｂ’の互いに対向する面がプライミング放電セル４１ａの長手方向に対して傾斜するように、すなわち、主放電セル４０に対して傾斜するように形成する構成であってもよい。
【００５６】
図８は、本発明の第１の実施の形態におけるＰＤＰ１０の補助電極２２ｂ’のさらに他の形状の例を示した平面図である。図８に示すように、補助電極２２ｂ’を金属母線２２ｂに対して傾斜して形成することで、隣り合う補助電極２２ｂ’−補助電極２２ｂ’の互いに対向する面を主放電セル４０に対して傾斜させる構成であってもよい。
【００５７】
図９は、本発明の第１の実施の形態におけるＰＤＰ１０の補助電極２２ｂ’のさらに他の形状の例を示した平面図である。図９に示すように、隣り合う補助電極２２ｂ’−補助電極２２ｂ’の互いに対向する面がプライミング放電セル４１ａの長手方向に対して直行する方向となるように補助電極２２ｂ’を形成する構成としてもよい。このような構成であっても、プライミング放電によって発生したプライミング粒子が隣接する主放電セル４０に向かって直接飛散することを防止することができるからである。
【００５８】
このように、例えば図７〜図９に示したような、隣接する主放電セル４０に対してプライミング粒子が直接飛散することを防止することができるような構成であれば、上述と同様の効果を得ることができる。
【産業上の利用可能性】
【００５９】
本発明に係るＰＤＰは、プライミング放電によって書込み放電を安定して発生させことができ、さらに隣接する主放電セルへのプライミング放電のクロストークを改善して誤放電を低減することができるので、壁掛けテレビや大型モニター等のディスプレイ装置として有用である。
【図面の簡単な説明】
【００６０】
【図１】本発明の第１の実施の形態におけるＰＤＰの構造を示す分解斜視図
【図２】同ＰＤＰの断面図
【図３】同ＰＤＰの金属母線および補助電極の構成を示した図
【図４】同ＰＤＰの電極配列図
【図５】同ＰＤＰの駆動波形図
【図６】同ＰＤＰの要部の平面透視図
【図７】同ＰＤＰの補助電極の他の形状の例を示した平面図
【図８】同ＰＤＰの補助電極のさらに他の形状の例を示した平面図
【図９】同ＰＤＰの補助電極のさらに他の形状の例を示した平面図
【符号の説明】
【００６１】
１０    ＰＤＰ
２１    （ガラス製の）前面基板
２２    走査電極
２２ａ，２３ａ    透明電極
２２ｂ，２３ｂ    金属母線
２２ｂ’    補助電極
２３    維持電極
２４    前面板誘電体層
２５    保護層
２８    光吸収層
３１    （ガラス製の）背面基板
３２    データ電極
３３    背面板誘電体層
３４    隔壁
３４ａ    縦隔壁
３４ｂ    横隔壁
３５    蛍光体層
４０    主放電セル
４１    隙間部
４１ａ    走査電極側隙間部（プライミング放電セル）
４１ｂ    維持電極側隙間部
５０    前面板
６０    背面板
【図１】
2006031992.tif 000003
【図２】
2006031992.tif 000004
【図３】
2006031992.tif 000005
【図４】
2006031992.tif 000006
【図５】
2006031992.tif 000007
【図６】
2006031992.tif 000008
【図７】
2006031992.tif 000009
【図８】
2006031992.tif 000010
【図９】
2006031992.tif 000011